(57)【要約】【課題】 本発明は、カーペットのような柔らかい表面を掃除する時、大きい力がかからず、且つ操作の便利な真空掃除機用ブラシ組立体を提供することにある。【解決手段】 本発明による真空掃除機用ブラシ組立体１は、真空掃除機本体１１０に連通される吸入路１１が形成されたブラシ胴体１０と、ブラシ胴体１０の吸入路１１に連通される吸入口２１を備え、ブラシ胴体１０の一端に回転できるよう設けられたブラシ２０と、ブラシ２０が前記ブラシ胴体１０に対して回転できるよう吸入路１１と吸入口２１との間をシーリングし、ブラシ２０が前記ブラシ胴体１０に対して回転すると、外部空気がブラシ胴体１０の吸入路１１に引入れられる空間が形成されるシーリング部３０と、を含む 。【選択図】   図２
2007090037.tif 000002
【特許請求の範囲】
【請求項１】
真空掃除機本体に連通される吸入路が形成されたブラシ胴体と、
前記ブラシ胴体の吸入路に連通される吸入口を備え、前記ブラシ胴体の一端に対して回転できるよう設けられたブラシと、
前記ブラシが前記ブラシ胴体に対して回転できるよう前記吸入路と吸入口との間をシーリングし、前記ブラシが前記ブラシ胴体に対して回転すると外部空気が前記ブラシ胴体の吸入路に引入れられる空間が形成されるシーリング部と、
を含むことを特徴とする真空掃除機用ブラシ組立体。
【請求項２】
前記シーリング部は、
前記吸入路に形成された上部シーリングと、
前記ブラシの吸入口の上端から延び、前記上部シーリングに対して滑り接触するよう形成された下部シーリングと、を更に含み、
前記ブラシが前記ブラシ胴体に対して一定の角度以上に回転すると、前記上部シーリングと前記下部シーリングとの間に外部空気が前記吸入路へ引入れられる空間が形成されることを特徴とする請求項１に記載の真空掃除機用ブラシ組立体。
【請求項３】
前記ブラシは、前記吸入口の一方に設けられたヒンジにより回転し、前記吸入口を隔てて前記ヒンジと向かい合う前記下部シーリング部分に外部空気孔が形成されることを特徴とする請求項２に記載の真空掃除機用ブラシ組立体。
【請求項４】
前記上部シーリングおよび下部シーリングは、それぞれ略長方形の管状に成型され、前記ブラシが前記ブラシ胴体に対して一定の角度以上に回転すると、前記下部シーリングのうち一壁の上端と前記上部シーリングの下端との間に外部空気が吸入される空間が形成されることを特徴とする請求項２に記載の真空掃除機用ブラシ組立体。
【請求項５】
前記下部シーリングのうちの一壁は、前記ブラシが前記ブラシ胴体に対して回転する回転中心から最も遠くにある壁であることを特徴とする請求項４に記載の真空掃除機用ブラシ組立体。
【請求項６】
前記下部シーリングのうちの一壁は、前記ブラシが前記回転中心を中心に前記ブラシ胴体に対して下向きに２度以上傾斜させると、その上端と前記上部シーリングの下端との間に空間が形成されることを特徴とする請求項５に記載の真空掃除機用ブラシ組立体。
【請求項７】
前記下部シーリングは、前記回転中心を中心にして湾曲していることを特徴とする請求項４ないし６のいずれかに記載の真空掃除機用ブラシ組立体。
【請求項８】
前記ブラシ組立体を一方向に移動させると、前記ブラシが前記ブラシ胴体に対して回転し、前記シーリング部に外部空気が前記ブラシ胴体の吸入路に引入れられる空間が形成され、逆方向に移動させると前記空間が閉じられることを特徴とする請求項１に記載の真空掃除機用ブラシ組立体。
【請求項９】
吸入力を発生させる真空掃除機本体と、
前記真空掃除機本体に連通し、吸入されたゴミが移動する通路をなす延長管組立体と、
前記延長管組立体に連通し、ゴミを吸入するブラシ組立体と、を含み、
前記ブラシ組立体は、
前記延長管組立体に連通する吸入路が形成されたブラシ胴体と、
前記ブラシ胴体の吸入路に連通される吸入口を備え、前記ブラシ胴体の一端に対して回転できるよう設けられたブラシと、
前記ブラシ組立体を一方向に移動させると外部空気が前記ブラシ胴体の吸入路に直接引入れられるようにし、前記ブラシ組立体を逆方向に移動させると外部空気が前記ブラシ胴体の吸入路に引入れられないようにするシーリング部と、
を含むことを特徴とする真空掃除機。
【請求項１０】
前記シーリング部は、
前記吸入路に形成された上部シーリングと、
前記ブラシの吸入口の上端から延び、前記上部シーリングに対して滑り接触するよう形成された下部シーリングと、を更に含み、
前記ブラシ組立体が一方向に移動すると、前記ブラシが前記ブラシ胴体に対して一定の角度回転し、前記上部シーリングの下端と前記下部シーリングの上端との間に外部空気が前記吸入路に引入れられる空間が形成されることを特徴とする請求項９に記載の真空掃除機。
【発明の詳細な説明】
【技術分野】
【０００１】
本発明は、家庭用および産業用の真空掃除機に関し、詳細には真空掃除機用ブラシの組立体およびそれを備えた真空掃除機に関する。
【背景技術】
【０００２】
一般に、真空掃除機は、被掃除面に近接し空気と共にゴミやほこり（以下、ゴミと称する）を吸込むことのできる吸入口を有するブラシ組立体と、吸込まれたゴミを流入させ前記ブラシ組立体に連通される延長管と、ユーザが掃除の際に把持する取っ手部と、延長管から流入されたゴミの含まれた空気を真空掃除機本体に流入させる吸入ホース、吸入力を発生させる真空発生装置を備えた真空掃除機本体と、を含む。
【０００３】
このような真空掃除機は、真空掃除機本体に設けられた真空発生装置のモータにより吸入力が発生される。係る吸入力により、前記ブラシ組立体に形成された吸入口を介して空気と共に被掃除面のゴミを吸込む。前記吸入口から吸入されたゴミを含んだ空気は、延長管および吸入ホースを介して真空掃除機本体に引入れられる。真空掃除機本体に引入れられたゴミは、ゴミ回収装置により空気から分離、回収される。従って、ゴミの含まれた空気は、ブラシ組立体、延長管、吸入ホース、真空掃除機本体を介して移動する。
【０００４】
ユーザがこのような真空掃除機で掃除を行うとき、取っ手部を把持しブラシ組立体を前後に動かす。ところで、ブラシ組立体を前方に押す時は、押す力によりブラシ組立体の吸入口が被掃除面と密着され、その吸入力により大きい負圧がかかってしまう。従って、ユーザは、大きい力を用いて取っ手部を前方に押すことによりブラシ組立体を前進させることとなる。一方、ブラシ組立体を引っ張る時は、その引っ張る力によりブラシ組立体の吸入口が被掃除面から離れようとする力を受けることから、その力と吸入力が相殺され吸入口にそれほどの大きい負圧がかからない。よって、ユーザが取っ手部を小さい力で引っ張ってもスムーズに後方に移動させることができる。つまり、ユーザが取っ手部をもってブラシ組立体を前後に動かす時、ユーザが取っ手部に加える力（以下、操作力と称する）は相異なる。ブラシ組立体を前に動かすときには、引っ張るときより大きい力を要する。このことにより、ブラシ組立体を前方に動かしながら掃除を行う場合、ユーザはその不便さを感じざるを得ない。特に、カーペットのような柔らかい被掃除面を掃除するとき、被掃除面がブラシに吸着されるためブラシ組立体を前方に動かし難いという問題を抱えている。
【発明の開示】
【発明が解決しようとする課題】
【０００５】
本発明は、前述した問題点を解決するために案出されたもので、本発明の目的は、従来に比べて小さい力でブラシ組立体を前方に移動させることのできる真空掃除機用ブラシ組立体およびそれを備えた真空掃除機を提供することにある。
【課題を解決するための手段】
【０００６】
前述した目的を達成するための本発明の目的は、真空掃除機の本体に連通される吸入路が形成されたブラシ胴体と、前記ブラシ胴体の吸入路に連通される吸入口を備え、前記ブラシ胴体の一端に回転できるよう設けられたブラシと、前記ブラシが前記ブラシ胴体に対して回転できるよう前記吸入路と吸入口との間をシーリングし、前記ブラシが前記ブラシ胴体に対して回転すると外部空気が前記ブラシ胴体の吸入路に引入れられる空間が形成されるシーリング部と、を含む真空掃除機用ブラシ組立体を提供することによって達成される。
【０００７】
ここで、前記シーリング部は、前記吸入路に形成された上部シーリングと、前記ブラシの吸入口の上端から延び、前記上部シーリングに対して滑り接触するよう形成された下部シーリングと、を更に含み、前記ブラシが前記ブラシ胴体に対して一定の角度以上に回転すると、前記上部シーリングと前記下部シーリングとの間に外部空気が前記吸入路へ引入れられる空間が形成される。
【０００８】
また、前記ブラシは、前記吸入口の一方に設けられたヒンジにより回転し、前記吸入口を隔てて前記ヒンジと向かい合う前記下部シーリング部分に外部空気孔が形成されることが好ましい。
【０００９】
なお、前記外部空気孔は、前記ブラシが前記ブラシ胴体に対して下向きに約２度以上傾斜させると、外部空気が引入れられるよう形成することができる。
【００１０】
また、前記上部シーリングおよび下部シーリングは、それぞれ略長方形の管状で成型され、前記ブラシが前記ブラシ胴体に対して一定の角度以上に回転すると、前記下部シーリングのうち一壁の上端と前記上部シーリングの下端との間に外部空気が吸入される空間が形成されることが好ましい。
【００１１】
なお、前記下部シーリングのうちの一壁は、前記ブラシが前記ブラシ胴体に対して回転する回転中心から最も遠くににある壁であることが好ましい。
【００１２】
また、前記下部シーリングのうちの一壁は、前記ブラシが前記回転中心を中心に前記ブラシ胴体に対して下向きに２度以上傾斜させると、その上端と前記上部シーリングの下端との間に空間が形成されることが好ましい。
【００１３】
そして、前記下部シーリングは、前記回転中心を中心にして湾曲していることが好ましい。
【００１４】
また、真空掃除機用ブラシ組立体は、前記ブラシ組立体を一方向に移動させると、前記ブラシが前記ブラシ胴体に対して回転し、前記シーリング部に外部空気が前記ブラシ胴体の吸入路に引入れられる空間が形成され、逆方向に移動させると前記空間が閉じられることが好ましい。
【００１５】
本発明の他の側面から見ると、前述のような本発明の目的は、吸入力を発生させる真空掃除機本体と、前記真空掃除機本体に連通し、吸入されたゴミが移動する通路をなす延長管組立体と、前記延長管組立体に連通し、ゴミを吸入するブラシ組立体と、を含み、前記ブラシ組立体は、前記延長管組立体に連通する吸入路が形成されたブラシ胴体と、前記ブラシ胴体の吸入路に連通される吸入口を備え、前記ブラシ胴体の一端に対して回転できるよう設けられたブラシと、前記ブラシ組立体を一方向に移動させると外部空気が前記ブラシ胴体の吸入路に直接引入れられるようにし、前記ブラシ組立体を逆方向に移動させると外部空気が前記ブラシ胴体の吸入路に引入れられないようにするシーリング部と、を含む真空掃除機を提供することによって達成される。
【００１６】
なお、前記シーリング部は、前記吸入路に形成された上部シーリングと、前記ブラシの吸入口の上端から延び、前記上部シーリングに対して滑り接触するよう形成された下部シーリングと、を含み、前記ブラシ組立体が一方向に移動すると、前記ブラシが前記ブラシ胴体に対して一定の角度回転し、前記上部シーリングの下端と前記下部シーリングの上端との間に外部空気が前記吸入路に引入れられる空間が形成される。
【発明の効果】
【００１７】
本発明に係る真空掃除機用ブラシ組立体およびそれを備えた真空掃除機によると、カーペットのような柔らかい被掃除面を掃除するとき、カーペットがブラシ組立体に吸着されず、また従来の真空掃除機に比べてブラシ組立体を前方に押すときの力の最小化を図ることができる。従って、本発明に係る真空掃除機用ブラシ組立体を備えた真空掃除機は、従来の真空掃除機より容易に掃除を行うことができる。
【発明を実施するための最良の形態】
【００１８】
以下、添付の図面を参照して本発明の好適な実施例を詳述する。
【実施例１】
【００１９】
図１ないし図３に基づくと、本発明の一実施の形態にかかる真空掃除機用ブラシ組立体１は、ブラシ胴体１０、ブラシ２０、シーリング部３０を含んでなる。
【００２０】
ブラシ胴体１０は、真空掃除機本体１１０（図１０参照）と連通される吸入路１１を備える。吸入路１１は、吸入された空気とゴミが移動する通路であって、ブラシ胴体１０の内側に形成される。ブラシ胴体１０の一方には、吸入路１１と連通する延長管１２１の一端が連結されている。吸入路１１の他端には、後述するブラシ２０がブラシ胴体１０に対して一定の角度範囲内で回転できるよう設けられている。また、ブラシ胴体１０の両側には、ブラシ胴体１０を被掃除面にて移動させることのできる一対の車輪５が設けられている。
【００２１】
ブラシ２０は、被掃除面からゴミやほこり（以下、ゴミと称する）を吸込み、ブラシ胴体１０の吸入路１１に連通される吸入口２１を備える。ブラシ２０は、ブラシ胴体１０に回転できるよう設けられている。本実施の形態の場合、ブラシ２０は、吸入口２１上端の一方に設けられたヒンジ４０により、ブラシ胴体１０に対して一定の角度範囲内で回転できるよう設けられる。なお、ブラシ２０は、ブラシ胴体１０に対して略１５〜２０度内で回転することが好ましい。また、ブラシ２０には、外観のためのカバー２９が組み付けられる。
【００２２】
シーリング部３０は、ブラシ２０がブラシ胴体１０に対して回転するとき、吸入口２１に吸入された空気とゴミが吸入路１１に移動できるよう、吸入路１１と吸入口２１との間をシーリングする。また、シーリング部３０は、ブラシ２０がブラシ胴体１０に対して一定の角度以上回転すると、外部空気がブラシ胴体１０の吸入路１１に直接引入れられる空間Ｇ（図５参照）を形成する。このようなシーリング部３０は、吸入路１１に形成された上部シーリング３１と、ブラシ２０の吸入口２１上端から上方に延長され、上部シーリング３１に対して滑り接触するよう形成された下部シーリング３２とから構成されている。
【００２３】
本実施の形態の場合、図３および図４に示したように、上部シーリング３１と下部シーリング３２は、それぞれ長方形の管状に成型されている。下部シーリング３２をなしている４つの壁３３，３４，３５，３６のうち、ブラシ２０がブラシ胴体１０に対して回転する回転中心（Ｃ）、つまりヒンジ４０から最も遠くにある下部シーリング３２の前壁３３は、その両側にある側壁３４、３５よりその高さが低く形成される。また、ブラシ２０がブラシ胴体１０に対して回転するとき、下部シーリング３２が上部シーリング３１の内側にて円滑に滑り移動できるよう、下部シーリング３２は、ヒンジ４０を中心に一定の曲率に湾曲している（図８および図９参照）。従って、ブラシ２０がブラシ胴体１０に対してヒンジ４０を中心に一定の角度（θ）以上に回転すると、図５に示すように、下部シーリング３２の前壁３３の上端３３ａと上部シーリング３１の下端３１ａとの間には外部空気が吸入される空間（Ｇ）が形成される。このとき、ブラシ２０がヒンジ４０を中心にブラシ胴体１０に対して下向きに約２度以上に傾斜していると、下部シーリング３２の前壁の上端３３ａと上部シーリング３１の下端３１ａとの間には空間（Ｇ）が発生し始め、ブラシ２０がブラシ胴体１０に対して最大に回転した時、最大の大きさの空間（Ｇ）が形成される。即ち、本実施の形態の場合には、ブラシ２０がブラシ胴体１０に対して１５〜２０度回転すると、シーリング部３０が形成する空間（Ｇ）の大きさは最大となる。
【００２４】
また、シーリング部３０に空間を形成する方法として、下部シーリング３２の前壁３３を、前述した通りに、側壁３４，３５より低く形成する方法以外に、図６に示したように、下部シーリング３２の前壁３３’に外部空気が吸入される外部空気孔３９を形成することもできる。ここで、下部シーリング３２の前壁３３’は、吸入口２１を挟んでヒンジ４０と向かいあう壁を指す。この場合、ブラシ２０がブラシ胴体１０に対して回転することによって、外部空気孔３９が上部シーリング３１の下端３１aにより開閉される。
【００２５】
以下、添付の図に基づいて、本発明にかかる真空掃除機用ブラシ組立体１の作用について説明する。この際、真空掃除機の操作力に問題となる柔らかい被掃除面の一例としてカーペットを掃除する場合について説明する。
【００２６】
ユーザが延長管組立体１２０（図１０参照）の取っ手部１２３（図１０参照）を把持し前方に押すと、ブラシ組立体１は、一対の車輪５によりカーペット上を図７における矢印Ａの方向に移動する。
【００２７】
なお、ブラシ組立体１は、ユーザが前方に押す力により下方に向かって作用する第１下向き力と、ブラシ２０の吸入口２１に作用する吸入力により下方に向って作用する第２下向き力を同時に受けている。従って、ユーザが取っ手部１２３を前方に押すと、ブラシ組立体１のブラシ２０がヒンジ４０を中心にしてブラシ胴体１０に対して下向き回転し、シーリング部３０に外部空気（Ｄ）がブラシ胴体１０の吸入路１１に引入れられる空間を形成する。即ち、ブラシ２０がブラシ胴体１０に対して回転すると、図７および図８に示すように、ブラシ２０の下部シーリング３２がブラシ胴体１０の上部シーリング３１から離れて、下部シーリング３２の前壁上端３３ａと上部シーリング３２の下端３１ａとの間に空間（Ｇ）が形成される。すると、外部空気（Ｄ）が下部シーリング３２と上部シーリング３１との間の空間（Ｇ）を介して吸入路１１に引入れられるので、吸入口２１にかかる負圧は減少される。よって、ユーザがブラシ組立体１を押す力が従来に比べて減少することから、カーペットのような柔らかい被掃除面における掃除が容易になる。
【００２８】
反対に、ユーザが取っ手部１２３を引っ張ると、ブラシ組立体１は、一対の車輪５によりカーペット上を図３の矢印Ｂ方向に向って移動する。なお、ブラシ組立体１は、ユーザが後方に引っ張る力により上方向に作用する上向き力と、ブラシ２０の吸入口２１に作用する吸入力によって下方に作用する下向き力の影響を受ける。すると、ブラシ組立体１を引っ張る時、ブラシ組立体１に作用する上向き力と下向き力とが互いに相殺することによって、ブラシ組立体１を前方に押すときより少ない力が作用する。従って、ブラシ組立体１を引っ張る場合、ブラシ２０はブラシ胴体１０に対して回転せず、図３に示したように、被掃除面に対して平行な状態を保つ。なお、図９に示したように、シーリング部３０の下部シーリング３２と上部シーリング３１とが重なっていることから、外部の空気がシーリング部３０に吸入されない。また、ユーザにもブラシ組立体１を引っ張るのに大きい力を必要とさせない。
【実施例２】
【００２９】
以下、本発明の他の側面から、前述のような真空掃除機用ブラシ組立体１を備えた真空掃除機の一実施の形態について詳説する。
【００３０】
図１０に示したように、本発明の一実施の形態に係る真空掃除機１００は、真空掃除機本体１１０、延長管組立体１２０、ブラシ組立体１を含んでなる。
【００３１】
真空掃除機本体１１０は、ゴミを吸込む吸入力を発生させる。従って、真空掃除機本体１１０は、吸入力を発生させる真空発生装置（図示せず）を含む。また、真空掃除機本体１１０は、ブラシ組立体１と延長管組立体１２０を介して空気と共に吸入されたゴミを分離し収集するゴミ回収装置（図示せず）と、を含む。
【００３２】
延長管組立体１２０は、真空掃除機本体１１０とブラシ組立体１を連通させる。延長管組立体１２０は、吸入されたゴミを流入させブラシ組立体１に連通される延長管１２１と、ユーザが掃除時に把持しているブラシ組立体１を前後に動かす取っ手部１２３と、延長管１２１へ流入されたゴミを含んでいる空気を真空掃除機本体１１０に流入させる吸入ホース１２２と、から構成されている。
【００３３】
ブラシ組立体１は、延長管組立体１２０の延長管１２１と連通し、被掃除面のゴミを吸込む。係るブラシ組立体１は、ブラシ胴体１０、ブラシ２０、シーリング部３０から構成される。ブラシ胴体１０には、延長管１２１に連通される吸入路１１が形成される。ブラシ２０は、ブラシ胴体１０の吸入路１１に連通される吸入口２１を備え、ブラシ胴体１０の一端に対して一定の角度回転できるよう設けられている。シーリング部３０は、ブラシ組立体１が一方向に移動すると、ブラシ２０がブラシ胴体１０に対し回転して外部空気がブラシ胴体１０の吸入路１１に引入れられる空間（Ｇ）を形成し、ブラシ組立体１が逆方向に移動すると前記空間（Ｇ）を閉鎖する。シーリング部３０は、吸入路１１に形成された上部シーリング３１と、ブラシ２０の吸入口２１の上端から延長され、上部シーリング３１に対して滑り接触するよう形成された下部シーリング３２と、から構成される。ブラシ組立体１が一方向に移動すると、ブラシ２０がブラシ胴体１０に対して一定の角度回転し、上部シーリング３１の下端３１ａと下部シーリング３２の上端３３ａとの間に、外部空気が吸入路１１に引入れられる空間（Ｇ）が形成される。本実施形態の場合には、取っ手部１２３を前に押してブラシ組立体１が前方に移動すると、シーリング部３０の空間（Ｇ）が開き、取っ手部１２３を引っ張ってブラシ組立体１が後方に移動すると、シーリング部３０の空間（Ｇ）が閉鎖されるよう形成されている。係るブラシ組立体１を構成するブラシ胴体１０、ブラシ２０、シーリング部３０についての詳説は前述の真空掃除機用ブラシ組立体１と同一であるため、その説明は省略する。
【００３４】
以下、前述の構成を有する真空掃除機１００でカーペットを掃除する場合について詳説する。
【００３５】
ユーザは真空掃除機１００の電源を入れ、延長管組立体１２０の取っ手部１２３を把持し、ブラシ組立体１を前後に動かしてカーペットの掃除を行う。
【００３６】
ユーザが取っ手部１２３を握って前方に動かすと、ブラシ組立体１が前方に押される。すると、ブラシ２０が、図７に示したように、ブラシ１０に対して回転しブラシ胴体１０に対して下向き傾斜をなす。すると、ブラシ２０の下部シーリング３２とブラシ胴体１０の上部シーリング３１との間に空間（Ｇ）が形成される（図８参照）。下部シーリング３２と上部シーリング３１との間に空間（Ｇ）が生じると、外部空気（Ｄ）が、図８に示したように、空間（Ｇ）を介して直接吸入路１１に引入れられる。外部空気（Ｄ）が吸入路１１に引入れられると、吸入口２１にかかる負圧が低くなるためユーザがブラシ組立体１を前方に押す力は減少される。従って、ユーザは従来の真空掃除機に比べて容易にカーペットの掃除を行うことができる。
【００３７】
逆に、ユーザが取っ手部１２３を引っ張ると、ブラシ組立体１が後方に移動する。このとき、ブラシ２０は、図３に示すように、ブラシ胴体１０と平行な状態を保つ。係るブラシ組立体１が後方に移動する場合は、前述したように、吸入口２１に作用する負圧が小さいので、ユーザがブラシ組立体１を引っ張る力も小さくなる。
【００３８】
即ち、本発明における一実施の形態に係る真空掃除機１００を用いてカーペット掃除を行う場合、ユーザはブラシ組立体１を前方に押す場合は、従来より小さい力で掃除を行うことができ、ブラシ組立体１を後方に引っ張る場合は、従来と同一な力で掃除を行うことができる。よって、従来に比べてユーザがカーペット掃除をより便利に行うことができる。
【００３９】
以上、図面を参照して、本発明の好適な実施形態を図示および説明してきたが、本発明の保護範囲は、前述の実施形態に限定するものではなく、特許請求の範囲に記載された発明とその均等物にまで及ぶものである。
【図面の簡単な説明】
【００４０】
【図１】本発明に係る真空掃除機用ブラシ組立体を示す斜視図である。
【図２】図１の真空掃除機用ブラシ組立体の断面図である。
【図３】図１の真空掃除機用ブラシ組立体のブラシ胴体に組み付けられたブラシを示す一部切断斜視図である。
【図４】図２のＩＶ−ＩＶ線に沿って切断した部分断面図である。
【図５】図１の真空掃除機用ブラシ組立体の下部シーリングの一例を示す図である。
【図６】図１の真空掃除機用ブラシ組立体の下部シーリングの他の例を示す図である。
【図７】図１の真空掃除機用ブラシ組立体を前方に押す場合にブラシがブラシ胴体に対して傾斜された状態を示す一部切断斜視図である。
【図８】図１の真空掃除機用ブラシ組立体を前方に押す場合の上部シーリングと下部シーリングの状態を示す部分断面図である。
【図９】図１の真空掃除機用ブラシ組立体を引っ張る場合の上部シーリングと下部シーリングの状態を示す部分断面図である。
【図１０】本発明に係る真空掃除機用ブラシ組立体を備えた真空掃除機を示す斜視図である。
【符号の説明】
【００４１】
１        真空掃除機用ブラシ組立体
５        車輪
１０      ブラシ胴体
１１      吸入路
２０      ブラシ
２１      吸入口
２９      カバー
３０      シーリング部
３１      上部シーリング
３１ａ    上部シーリングの下端
３２      下部シーリング
３３，３４，３５、３６      下部シーリングの壁
４０      ヒンジ
１００    真空掃除機
１１０    真空掃除機本体
１２０    延長管組立体
１２１    延長管
Ｇ        空間
θ        ブラシの回転角度
Ｄ        外部空気
Ｃ        ブラシの回転中心
【図１】
2007090037.tif 000003
【図２】
2007090037.tif 000004
【図３】
2007090037.tif 000005
【図４】
2007090037.tif 000006
【図５】
2007090037.tif 000007
【図６】
2007090037.tif 000008
【図７】
2007090037.tif 000009
【図８】
2007090037.tif 000010
【図９】
2007090037.tif 000011
【図１０】
2007090037.tif 000012